(57)【要約】  （ａ）堆肥化可能な材料を収容することができる少なくとも第１の容器と、（ｂ）（ｉ）前記第１の容器、又は（ｉｉ）前記第１の容器に収容された前記堆肥化可能な材料のいずれかの温度を検知するように構成された第１の温度センサーと、（ｃ）前記第１の容器を複数の温度点にまで加熱するように構成された、前記第１の容器と熱伝導可能な加熱素子と、（ｄ）前記温度センサー及び前記加熱素子と電気的に接続されたプログラム可能なコントローラーと、を備えたコンポスト装置であって、前記プログラム可能なコントローラーが前記容器を第１の温度点及び第２の温度点に加熱するようにプログラムされた、コンポスト装置。堆肥化の方法であって、（ａ）第１の容器に堆肥化可能な材料を収容する工程と、（ｂ）前記第１の容器に収容された前記堆肥化可能な材料を第１の温度に加熱する工程と、（ｃ）前記第１の容器に収容された前記堆肥化可能な材料を第２の温度に加熱する工程と、（ｄ）前記第１の容器に収容された前記堆肥化可能な材料を堆肥に堆肥化する工程と、を含む方法。（ａ）（ｉ）堆肥化可能な材料を収容することができる少なくとも第１の容器と、（ｉｉ）前記第１の容器、又は前記第１の容器に収容された前記堆肥化可能な材料のいずれかの温度を検知するように構成された第１の温度センサーと、（ｉｉｉ）前記第１の容器を複数の温度点にまで加熱するように構成された、前記第１の容器と熱伝導可能な加熱素子と、（ｉｖ）前記温度センサー及び前記加熱素子と電気的に接続されたプログラム可能なコントローラーと、を備えたコンポスト装置であって、前記プログラム可能なコントローラーが前記容器を第１の温度点及び第２の温度点に加熱するようにプログラムされたコンポスト装置と、（ｂ）前記コンポスト装置に投入されるように構成された堆肥化細菌を含む単位投入物品と、を含む、キット。【特許請求の範囲】
【請求項１】
（ａ）堆肥化可能な材料を収容することができる少なくとも第１の容器と、
（ｂ）（ｉ）前記第１の容器、又は（ｉｉ）前記第１の容器に収容された前記堆肥化可能な材料のいずれかの温度を検知するように構成された第１の温度センサーと、
（ｃ）前記第１の容器を複数の温度点にまで加熱するように構成された、前記第１の容器と熱伝導可能な加熱素子と、
（ｄ）前記温度センサー及び前記加熱素子と電気的に接続されたプログラム可能なコントローラーと、を備えたコンポスト装置であって、前記プログラム可能なコントローラーが前記容器を第１の温度点及び第２の温度点に加熱するようにプログラムされた、コンポスト装置。
【請求項２】
前記第１の容器に収容された堆肥化可能な材料を混合するように構成された第１の混合子を更に備える、請求項１に記載の装置。
【請求項３】
前記プログラム可能なコントローラーが、前記容器を第３の温度点に加熱するようにプログラムされた、請求項２に記載の装置。
【請求項４】
前記プログラム可能なコントローラーが、前記容器を第４の温度点に加熱するようにプログラムされた、請求項３に記載の装置。
【請求項５】
前記第１の容器が、前記容器に着脱可能に取り付けられる、請求項４に記載の装置。
【請求項６】
（ｉ）前記第１の容器に収容された前記堆肥化可能な材料、又は（ｉｉ）前記第１の容器内の隙間、のいずれかの含水量を検知するように構成された第１の湿度センサーを更に備える、請求項５に記載の装置。
【請求項７】
（ｉ）前記第１の容器に収容された前記堆肥化可能な材料、又は（ｉｉ）前記第１の容器内の隙間、のいずれかの含水量を検知するように構成された第１の湿度センサーを更に備える、請求項２に記載の装置。
【請求項８】
前記第１の容器を着脱可能に覆う第１の蓋を更に備える、請求項７に記載の装置。
【請求項９】
堆肥化可能な材料を収容することができる第２の容器を更に備え、前記第２の容器が着脱可能に第２の容器を覆う第２の蓋を有し、前記第１の容器及び前記第２の容器が前記装置に着脱可能に取り付けられる際に第１の容器と第２の容器とが互いに流体連通しない、請求項８に記載の装置。
【請求項１０】
前記第２の容器が更に、
（ａ）（ｉ）前記第２の容器、又は（ｉｉ）前記第２の容器に収容された前記堆肥化可能な材料の、いずれかの温度を検知するように構成された第２の温度センサーと、
（ｂ）前記第２の容器を複数の温度点にまで加熱するように構成された、前記第２の容器と熱伝導可能な加熱素子と、を備える、請求項９に記載の装置。
【請求項１１】
堆肥化の方法であって、
（ａ）第１の容器に堆肥化可能な材料を収容する工程と、
（ｂ）前記第１の容器に収容された前記堆肥化可能な材料を第１の温度に加熱する工程と、
（ｃ）前記第１の容器に収容された前記堆肥化可能な材料を第２の温度に加熱する工程と、
（ｄ）前記第１の容器に収容された前記堆肥化可能な材料を堆肥に堆肥化する工程と、を含む方法。
【請求項１２】
前記第１の容器に収容された前記堆肥化可能な材料を混合する工程を更に含む、請求項１１に記載の方法。
【請求項１３】
前記第１の容器に収容された前記堆肥化可能な材料に加水する工程を更に含む、請求項１２に記載の方法。
【請求項１４】
堆肥が収容された前記着脱可能に取り付けられた第１の容器を取り外す工程と、前記第１の容器から前記収容さた堆肥を取り出す工程と、を更に含む、請求項１３に記載の方法。
【請求項１５】
（ａ）前記第２の容器に堆肥化可能な材料を収容する工程であって、前記第１の容器及び前記第２の容器が装置に着脱可能に取り付けられ、前記第１の容器と前記第２の容器とが互いに流体連通していない工程と、
（ｂ）前記第２の容器に収容された前記堆肥化可能な材料を第３の温度に加熱する工程と、
（ｃ）前記第１の容器に収容された前記堆肥化可能な材料を第４の温度に加熱する工程と、
（ｄ）前記第２の容器に収容された前記堆肥化可能な材料を堆肥に堆肥化する工程と、を更に含む、請求項１３に記載の方法。
【請求項１６】
前記第２の容器に収容された前記堆肥化可能な材料を混合する工程を更に含む、請求項１５に記載の方法。
【請求項１７】
前記着脱可能に取り付けられた第２の容器をコンポスト装置から取り外す工程を更に含む、請求項１６に記載の方法。
【請求項１８】
前記第２の容器に収容された前記堆肥化可能な材料に加水する工程を更に含む、請求項１６に記載の方法。
【請求項１９】
前記第１の容器又は前記第２の容器から発生する悪臭を匂い検出器により検知する工程を更に含む、請求項１５に記載の方法。
【請求項２０】
キットであって、
（ａ）（ｉ）堆肥化可能な材料を収容することができる少なくとも第１の容器と、
（ｉｉ）前記第１の容器、又は前記第１の容器に収容された前記堆肥化可能な材料の、いずれかの温度を検知するように構成された第１の温度センサーと、
（ｉｉｉ）前記第１の容器を複数の温度点にまで加熱するように構成された、前記第１の容器と熱伝導可能な加熱素子と、
（ｉｖ）前記温度センサー及び前記加熱素子と電気的に接続されたプログラム可能なコントローラーと、を備えたコンポスト装置であって、前記プログラム可能なコントローラーが前記容器を第１の温度点及び第２の温度点に加熱するようにプログラムされたコンポスト装置と、
（ｂ）前記コンポスト装置に投入されるように構成された堆肥化細菌を含む単位投入物品と、を含む、キット。
【発明の詳細な説明】
【技術分野】
【０００１】
本発明は、廃棄物を堆肥化するうえで有用なコンポスト装置に関する。
【背景技術】
【０００２】
家庭用コンポスト装置についてはこれまでに述べられている。例えば、米国特許出願公開第２００８／０２０９９６７  Ａ１号、及び日本特許第３６０１９７３  Ｂ２号を参照されたい。家庭内での堆肥化は便宜のよいものである。生ゴミは、単純に装置に収容される（ゴミ箱に捨てられる代わりに）。堆肥化の利点としては、埋め立て地における廃棄物の低減及び肥料の経済的な供給源となることがある。
【０００３】
現在の市場のコンポスト装置には幾つかの課題がある。一般的に堆肥化は、最初の反応段階と、その後の養生段階とを有している。これらの段階は通常は同時に行われず、一方の段階が律速段階となることにより、ユーザーが連続的な堆肥化を行うことが中断されてしまう。ユーザーが生ゴミなどの堆肥化を実質的に中断されずに行うことができるようにこれらの段階をほぼ同時に行うことが求められている。堆肥化における各段階の同時性を実現するため、各段階の条件を観測し、最適化することが求められている。
【先行技術文献】
【特許文献】
【０００４】
【特許文献１】米国特許出願公開第２００８／０２０９９６７  Ａ１号
【特許文献２】日本特許第３６０１９７３  Ｂ２号
【発明の概要】
【発明が解決しようとする課題】
【０００５】
本発明は、これらの要請の１つ以上に応えようとするものである。本発明は、コンポスト装置の設計を根本的に変えることでこれらの課題を解決するものである。堆肥化の各段階の過程全体を通じて単一の容器中にコンポストが収容されたままとされることでコンポスト又は堆肥化可能な材料に合わせて条件を調整する本発明に対して、現在のシステムでは、通常、条件を調整するために堆肥化可能な材料を移動する（例えば別の容器に移す）。これらの条件としては一般的に、とりわけ熱、水分、撹拌などが挙げられる。
【課題を解決するための手段】
【０００６】
本発明の一態様では、コンポスト装置を提供する。装置は、堆肥化可能な材料を収容することができる容器を含む。匂いセンサーが、容器から発生する悪臭を検知するように構成される。
【０００７】
本発明の第２の態様では、堆肥化の方法を提供する。本方法の１つの工程は、（ｉ）堆肥化可能な材料を収容することができる少なくとも第１の容器と、（ｉｉ）前記第１の容器から発生する悪臭を検知するように構成された匂いセンサーと、（ｉｉｉ）芳香組成物を供給することができる芳香ディスペンサーであって、前記匂いセンサーと前記芳香ディスペンサーとが電気的に接続されるように構成された芳香ディスペンサーと、（ｉｖ）前記芳香組成物が収容されたバイアルであって、前記芳香ディスペンサーが前記バイアルに収容された前記芳香組成物と流体連通するように構成されたバイアルと、を備える家庭用コンポスターを与えることを含む。本方法の更なる工程は、前記第１の容器に堆肥化可能な材料を収容する工程と、前記第１の容器に収容された前記堆肥化可能な材料を堆肥化する工程と、を含む。本方法は更に、前記第１の容器に収容された前記堆肥化可能な材料から隙間内に悪臭を発生する工程と、前記匂いセンサーを使用して前記第１の容器から前記隙間内に発生された悪臭を検知する工程と、前記第１の容器から発生した前記検知された悪臭に応じて、前記バイアルに収容された前記芳香組成物を供給する工程と、を含む。
【０００８】
本発明の第３の態様は、堆肥化の方法であって、
堆肥化可能な材料を受け容れるように構成された容器を提供する工程と、前記容器に堆肥化可能な材料を収容する工程と、前記容器に収容された前記堆肥化可能な材料を堆肥化する工程と、前記堆肥化可能な材料が収容された容器から悪臭を発生する工程と、前記容器と流体連通した匂い検出器を提供する工程と、前記匂い検出器により前記発生した悪臭を検知する工程と、を含む方法を提供する。
【０００９】
本発明の第４の態様は、堆肥化可能な材料を収容することができる少なくとも第１の容器と、前記第１の容器に収容された前記堆肥化可能な材料又は前記第１の容器内の隙間の、いずれかの含水量を検知するように構成された第１の湿度センサーと、前記第１の容器内に水性組成物を供給するように構成された加水ディスペンサーと、を備えたコンポスト装置であって、前記第１の湿度センサーと前記加水ディスペンサーとが電気的に接続されたコンポスト装置を提供する。
【００１０】
本発明の第５の態様は、堆肥化の方法であって、
第１の容器に堆肥化可能な材料を収容する工程と、前記第１の容器に収容された前記堆肥化可能な材料を加熱する工程と、前記第１の容器に収容された前記堆肥化可能な材料又は前記第１の容器内の隙間の、いずれかの含水量を検知する工程と、前記第１の容器に収容された前記材料又は前記第１の容器内の隙間の、いずれかの前記検知された含水量に基づいて、前記第１の容器に収容された前記堆肥化可能な材料に加水する工程と、前記第１の容器に収容された前記堆肥化可能な材料を堆肥に堆肥化する工程と、を含む方法を提供する。
【００１１】
本発明の第６の態様は、キットの方法であって、堆肥化可能な材料を収容することができる少なくとも第１の容器と、前記第１の容器に収容された前記堆肥化可能な材料又は前記第１の容器内の隙間の、いずれかの含水量を検知するように構成された第１の湿度センサーと、前記第１の容器内に水性組成物を供給するように構成された加水ディスペンサーと、を備えたコンポスト装置であって、前記第１の湿度センサーと前記加水ディスペンサーとが電気的に接続されたコンポスト装置を含むキットを提供する。キットは、前記水性組成物が収容された水性組成物容器を更に含み、前記加水ディスペンサーは、前記水性組成物容器に収容された前記水性組成物と流体連通する。
【００１２】
本発明の第７の態様は、堆肥化可能な材料を収容することができる少なくとも第１の容器と、前記第１の容器内に水性組成物を供給するように構成された加水ディスペンサーと、を備えたコンポスト装置を提供する。上記の装置、及び前記水性組成物が収容された水性組成物容器を含むキットであって、前記加水ディスペンサーが前記水性組成物容器に収容された前記水性組成物と流体連通しているキットも提供される。
【００１３】
本発明の第８の態様は、コンポスト装置を含むコンポスト装置であって、堆肥化可能な材料を収容することができる少なくとも第１の容器と、前記第１の容器又は前記第１の容器に収容された前記堆肥化可能な材料のいずれかの温度を検知するように構成された第１の温度センサーと、前記第１の容器を複数の温度点にまで加熱するように構成された、第１の容器と熱伝導可能な加熱素子と、前記温度センサー及び前記加熱素子と電気的に接続されたプログラム可能なコントローラーとを備え、前記プログラム可能なコントローラーが前記容器を第１の温度点及び第２の温度点に加熱するようにプログラムされた、コンポスト装置を提供する。
【００１４】
本発明の第９の態様は、堆肥化の方法であって、第１の容器に堆肥化可能な材料を収容する工程と、前記第１の容器に収容された前記堆肥化可能な材料を第１の温度に加熱する工程と、前記第１の容器に収容された前記堆肥化可能な材料を第２の温度に加熱する工程と、前記第１の容器に収容された前記堆肥化可能な材料を堆肥に堆肥化する工程と、を含む方法を提供する。
【００１５】
本発明の第１０の態様は、コンポスト装置及び単位投入物品を含むキットを提供する。装置は、堆肥化可能な材料を収容することができる少なくとも第１の容器と、前記第１の容器又は前記第１の容器に収容された前記堆肥化可能な材料のいずれかの温度を検知するように構成された第１の温度センサーと、前記第１の容器を複数の温度点にまで加熱するように構成された、第１の容器と熱伝導可能な加熱素子と、前記温度センサー及び前記加熱素子と電気的に接続されたプログラム可能なコントローラーとを備え、前記プログラム可能なコントローラーは、前記容器を第１の温度点及び第２の温度点に加熱するようにプログラムされる。前記単位投入物品は、前記コンポスト装置に投入されるように構成された堆肥化細菌を含む。
【００１６】
本発明の第１１の態様は、堆肥化可能な材料を収容することができる少なくとも第１の容器と、前記第１の容器に収容された前記堆肥化可能な材料の好気的又は嫌気的条件を検知するように構成された第１の好気性センサーとを備えるコンポスト装置を提供する。
【００１７】
本発明の第１２の態様は、堆肥化可能な材料を収容することができる少なくとも第１の容器と、前記第１の容器に収容された前記堆肥化可能な材料又は前記第１の容器に収容された前記堆肥化可能な材料の上の隙間の、いずれかに通気するように構成されたエアレーター装置とを備えたコンポスト装置を提供する。
【００１８】
本発明の第１３の態様は、堆肥化の方法であって、第１の容器に堆肥化可能な材料を収容する工程と、前記第１の容器内の前記堆肥化可能な材料を加熱する工程と、前記第２の容器内の前記堆肥化可能な材料を混合する工程と、前記第１の容器に収容された前記堆肥化可能な材料又は前記第１の容器に収容された前記堆肥化可能な材料の上の隙間の、いずれかに通気する工程と、を含む方法を提供する。
【００１９】
本発明の第１４の態様は、堆肥化の方法であって、第１の容器に堆肥化可能な材料を収容する工程と、前記第１の容器内の前記堆肥化可能な材料を加熱する工程と、前記第１の容器に収容された前記堆肥化可能な材料の好気的又は嫌気的条件を検知する工程と、前記検知された好気的又は嫌気的条件に応じて前記第１の容器内の前記堆肥化可能な材料を混合する工程と、前記第１の容器に収容された前記堆肥化可能な材料を堆肥に堆肥化する工程と、を含む方法を提供する。
【００２０】
本発明の第１５の態様は、連続的堆肥化の方法であって、第１の容器内で養生を行う工程と、第２の容器内で反応を行う工程と、を含み、前記堆肥化可能な材料が、前記反応中の第２の容器に１日当たり少なくとも２回、連続１４日間にわたって加えられる方法を提供する。
【００２１】
本発明の第１６の態様は、（ａ）空気出口ポートを形成するハウジングと、（ｂ）堆肥化可能な材料が収容されるように構成された、前記ハウジング内に収容された容器と、（ｃ）前記容器に収容された前記堆肥化可能な材料を混合するように構成された、前記容器内に収容された混合子と、（ｄ）前記混合子を回転させるように構成された、前記混合子と連結されたモーターと、（ｅ）前記容器を加熱するように構成された、前記ハウジング内に収容されたヒーターと、（ｆ）前記ハウジング内に収容された１以上のセンサーと、（ｇ）１以上の前記センサーと電気的に接続された、少なくとも前記モーター及び前記ヒーターを自動的に制御するためにプログラム可能なコントローラーと、（ｈ）前記空気出口ポートと流体連通した、必要に応じて設けられるエアフィルターであって、前記ハウジング内の空気をハウジングから前記空気がでる前に濾過するように構成されたエアフィルターと、を備える家庭用コンポスト装置を提供する。
【発明を実施するための形態】
【００２２】
二重容器
本発明の一態様は、好ましくは隣り合って配置された容器である少なくとも２つの容器を提供する。一実施形態では、このような隣り合って配置された容器は、互いに流体連通していない（すなわち、堆肥化可能な材料を容器間で移動することはできないが、それぞれの容器はコンポスト装置内部に機能的に配置されている）。
【００２３】
各容器は、堆肥化可能な材料を入れて、堆肥化を行うことによって堆肥化可能な材料をコンポスト、土壌改良剤などに変えることが可能である。このような設計には幾つかの利点が存在しうる。例えば、加熱素子（容器の内容物に熱を放射するための）を２個の容器の間に配置することによって、加熱素子から放射される熱のより効率的な利用が（潜在的に製造及び／又はエネルギー消費の観点から見て）可能となる。積層式の形態では、熱は両方の容器に均一に分配されない場合がある。
【００２４】
一実施形態では、装置の本体に容器が着脱可能に取り付けられる。例えば、容器は、ユーザーによる垂直軸を中心とした容器の回転により装置の本体から容器が取り外されるように回転機構によって取り付けることができる。別の例は、容器を装置の本体の内側に固定するためのレバー解除システムを備えたスナップ・イン・プレース機構である。あるいは、両方の容器は器具の本体に着脱可能に取り付けられる。このような容器の着脱可能な取り付け機構は、容器を簡便に充填し、又は更に好ましくは完成したコンポストを取り出すことを可能とするものである。ユーザーは、単純に容器を所望の場所（例えば花壇）にまで運んで容器をひっくり返すことで（ユーザーの手をいっさい汚さずに）容器からコンポストを放出することができる。これは、装置の本体に固定された（すなわち取り外せない）容器から完成したコンポストをユーザーが物理的に掬いだす又は取り出すことが必要とされる特定の堆肥化装置の設計とは大きく異なっている。
【００２５】
堆肥化プロセスの別の態様は、堆肥化の各段階が、とりわけ、各段階のそれぞれについて反応条件を最適化することによってほぼ同じ時間であることを規定するものである。これにより、堆肥化可能な材料を投入するために利用可能な容器がほぼ常にあるという利点がユーザーに与えられる。特定の二容器型堆肥化装置では、養生段階が反応段階よりも大幅に長くかかる（又はその逆）ことから各段階は時間的に一致しない。これらの装置では、ユーザーは、新たな堆肥化のサイクルを開始する前に養生段階が完了するのを待たなければならないという状況に置かれうる。本発明では、各段階が完了するのにかかる時間はほぼ同じであるため、ユーザーは２個の容器の間で養生段階と反応段階とを回転させることができる。換言すれば、本発明の第１の容器において養生段階が進行中であってもよく（ユーザーが堆肥化可能な材料を加えることはできない）、第２の容器において反応段階が進行中であることでユーザーが堆肥化可能な材料を加えることができる。本発明はまた、複数の段階（２、３、４又はそれよりも多い段階）及び複数の容器（単一の装置内で２、３、４個又はそれよりも多い容器）の使用も考慮している。
【００２６】
本発明の好ましい設計は二重区画設計を代表するものであるが、本発明は、また、より効果的な堆肥化を行うために堆肥化可能な材料をより小さな破片に粉砕する予備粉砕装置の使用も考慮している。予備粉砕装置は独立式であってもよく、装置と一体であってもよく、又はシステムの一部であってもよい（例えば装置をキッチンの流しの下に取り付け、「ディスポーザー」を予備粉砕装置として使用する場合）。予備粉砕装置は一実施形態では、高速ブレンダー型の混合子である。更なる別の実施形態では、装置の二重容器と一体形成された混合子に一体形成された「粉砕要素」が見られる。
【００２７】
一実施形態では、容器は、コンポスト装置の容器内にあとどれくらいの量の堆肥化可能な材料を収容することができるかをユーザーに対して示すために容器の内表面に配置された１以上の「充填線」を有する。充填線は、容器の内表面から突出及び／又は陥凹した線又は部分線（またはこれに類するもの）の形を取ることができる。これに代えるか又はこれに加えて、色を使用して充填線を示すか又は充填線をユーザーに対してより目立ちやすくして読み取りやすくすることもできる（特に充填線の色が容器の内表面の背景色と対照的である場合）。これに代えるか又はこれに加えて、光学センサー（好ましくはＰＣと電気的に接続される）を使用して容器に収容された内容物の充填レベルを評価することもできる。光学センサーは容器と一体であっても一体でなくともよい。
【００２８】
各容器は、約１Ｌ〜約１００Ｌ、あるいは２５Ｌ〜７５Ｌ、あるいは３５Ｌ〜６５Ｌ、あるいはこれらの組み合わせが入るように構成することができる。
【００２９】
容器の少なくとも一部を断熱することで容器に収容された内容物に対する温度条件を最大効率化することができる。絶縁材料は周知である。
【００３０】
容器の内表面を内張りする袋、好ましくは生分解性のプラスチック袋の使用により、コンポスト装置からの堆肥化された材料の取り出しを容易に行うことができる。適当な袋の製品がＧＬＡＤの商品名で販売されている。あるいは、装置は容器の内容物を袋に収容するための機構を有してもよい。
【００３１】
二重蓋設計
本発明の一態様は、コンポスト装置の容器の各開口部のそれぞれを覆うための少なくとも２つの蓋を提供する。本発明の別の態様は、活性段階の容器（養生段階に対して）にのみ堆肥化可能な材料を供給することができるように、装置の複数の蓋のうちの１つの蓋のみしか開けられないようにユーザーを制限する機構を提供する。
【００３２】
一実施形態では、内蓋と外蓋が設けられる。内蓋は、２つの容器の一方のみが露出するように滑らせるか又はひっくり返すことができる。内蓋は、外蓋と比較して容器の開口部により近接して配置される。外蓋は、内蓋（及び両方の容器）を（外部環境から）覆うようになっている。
【００３３】
別の実施形態では、２つの蓋は好ましくは１つのヒンジを共有して同一平面内にあるが、このような実施形態は、ユーザーが（両方の蓋ではなく）一度に１つの蓋しか開けることができないような機構を有する。このような実施形態では、装置は、いつでもユーザーがどの容器に堆肥化可能な材料を収容することができるかをユーザーに対して視覚的及び／又は聴覚的に示すための標示を有することができる。このような標示は、例えば、蓋を含む装置の外表面に見出すことができる。視覚的な標示としては、例えば、いつでも適当な容器のみにユーザーによるアクセスがなされるように、活性段階の堆肥化が進行している（したがって更なる堆肥化可能な材料を供給するのに適した）容器を覆っている蓋に設けられる緑色のライト（赤いライト又はライトなしに対して）が含まれる。第２の標示を使用して、容器の一方が堆肥化プロセスを完了し（すなわち、堆肥化可能な材料が堆肥に変換されたことを）、したがって容器の内容物がユーザーにより取り出される準備が整い、その後、容器で再び堆肥化プロセスを開始させる準備が整った時点を知らせることができる。このような１以上の標示の使用は、ユーザーが、どの容器において活性段階が進行中であり、及び／又は堆肥化プロセスがいつ完了したかを知ることの問題を解決するものである。
【００３４】
加熱素子
本発明の一態様は、２つの容器の間に配される少なくとも１つの加熱素子を提供する。本発明の別の態様では、加熱素子は容器のうちの１つ以上の下に配置される。容器のそれぞれは、（任意の時点で）同じ又は異なる温度にまで加熱することができる。加熱素子は、各容器の活性／養生段階を最大効率化するように調節することができる。一実施形態では、第１の容器において活性養生段階が進行するのに対して、第２の容器では養生段階が進行する。温度センサー（例えば温度計）を使用して容器の所望の温度を調節する（これにより容器内のそれぞれの処理条件を最大効率化する）助けとすることができる。理想的には、養生及び活性段階はほぼ同時に行われる。容器は、金属、プラスチック、又はこれらの組み合わせで形成することができる。
【００３５】
必要に応じて壁スクレーパーを備えた混合子
本発明の一態様は、コンポスト装置の各容器のうちの１つ以上に収容された内容物（すなわち堆肥化可能な材料）を混合するように構成された混合子を提供する。混合子はモーター駆動される。一実施形態では、混合子は容器の内側に着脱可能に取り付けることができる。ユーザーは、混合子の少なくとも一部分を取り外すことができることにより、容器に収容された内容物をより簡便に取り出し、及び／又は容器の内部を掃除する、及び／又は混合子を掃除することが可能である。別の実施形態では、混合子は、容器に収容された堆肥の混合を最大効率化するための「壁スクレーパー」を更に備えてもよい。理論によって束縛されることを望むものではないが、家庭用コンポスターの多くの混合子には、容器の壁にしばしば付着する堆肥を適当に取り除くことができず、それ故に家庭での堆肥化プロセスにおいて非効率的である混合子が含まれる。本発明の一態様は、壁スクレーパーを備えた混合子を提供する。一実施形態では、混合子は回転式であり、その回転軸はコンポスト装置の底部に対して垂直となっている（水平な床又はカウンタートップに対して垂直）。別の実施形態では、壁スクレーパーは、ゴム、ポリマー、又は容器の壁と接触するが、壁スクレーパーが内壁と機能的に接触する際に容器の内壁を引っ掻く、又は破損しない他の柔軟な材料で形成することができる。更なる別の実施形態では、混合子の壁スクレーパーは、３６０°の回転の全体にわたって内壁と接触する必要はない。その代わり、壁スクレーパーは、３６０°の回転の間に１回、２回、３回、又はそれよりも多い回数で壁と接触することができる。あるいは、壁スクレーパーは、３６０°の回転の間、連続的に壁と接触する。
【００３６】
堆肥化効率用の複数のセンサー
本発明の一態様は、時間的に同時に行われる堆肥化プロセスの活性段階及び養生段階を提供することである。これは、ユーザーからほぼいつでも堆肥化可能な材料を受け容れることができる状態にあるコンポスト装置というこれまで満たされていなかった要請に応えるものである。一部の市販の装置では、養生段階が活性段階よりも大幅に長いことを考えるとコンポスターがユーザーから堆肥化可能な材料を受け容れることができないラグ時間がある。更に、養生段階の時間を短縮するために活性段階の効率を高める（これによりコンポスト装置の全体の時間が短縮される）ことができる。
【００３７】
一実施形態では、温度センサーを使用する。温度センサーは、容器の温度又は容器に収容された内容物の温度を検知する。温度センサーは、容器に取り付けられた温度計であってよい。温度センサーは、容器に収容された内容物の温度を測定するために容器の内部に向けられた赤外線センサーであってよい。温度センサーは、加熱素子に放射される熱を増大又は低減させるために加熱素子と電気的に接続される。あるいは、温度センサーをプログラム可能なコントローラー（ＰＣ）と電気的に接続し、次いでＰＣを加熱素子と電気的に接続する。ＰＣは、（プロセスの効率を最大化するために）養生／活性段階の温度条件を最大効率化するプログラムを実行することができる。プログラムは、温度を何度に維持すべきか、及び特定の温度をどれくらいの時間維持すべきか（すなわち時間の長さ）を規定する。
【００３８】
一実施形態では、少なくとも２つの温度点（又は３つ、４つ、５つ、又はそれ以上の温度点）がある。これらの複数の温度点は、特定のサイクル（すなわち活性段階又は養生段階）について最適化することができる。例えば、容器の温度を第１の温度に第１の時間にわたって加熱、維持した後、容器を第２の温度に第２の時間にわたって加熱、維持する、などである。非限定的な一例では、活性段階における容器を、５５℃で２日間加熱した後、４０℃で５日間加熱する。別の非限定的な例では、養生段階における容器を、６０℃で１日間加熱した後、３５℃で３日間加熱する。言うまでもなく、正確な時間及び温度／期間は、装置の大きさ、堆肥化酵素及び／又は堆肥化微生物（例えば細菌）の選択、及び／又は、コンポストの技術分野における当業者には周知の他の変量によって決まるものである。
【００３９】
一実施形態では、好気性センサーを使用する。好気的センサーは、本発明のコンポスト装置の１以上の容器に収容された内容物の好気的及び／又は嫌気的条件を監視するために使用される。好ましくは、好気性センサーは、堆肥化条件（又はそれぞれの段階の条件）を最大効率化するために条件を好気性（嫌気性に対して）に維持する目的で活性段階及び養生段階の両方で使用される。好気性センサーは、Ｏ2、ＣＯ2、ＣＯ、ＮＨ4、ＨＳ、若しくは他の嫌気的副生成物、又はこれらの組み合わせを監視するための検出器を含みうる。好気性センサーは、混合装置及び／又はエアレーター装置と電気的に接続することができる。あるいは、好気性センサーをＰＣと電気的に接続し、このＰＣを混合子及び／又はエアレーター装置と電気的に接続することができる。混合子は、タイミング（すなわち振動数、時間の長さ）及び強度（例えばより高い又は低いＲＰＭ）及び方向（例えば順方向、逆方向、水平方向、垂直方向）により改変することができる。エアレーター装置は、容器に収容された内容物中、又は容器に収容された内容物の上の隙間に大気を通気する（例えば注入、吹き込みなど）ことができる。大気に加えるか、又は大気に代えて、貯蔵Ｏ2を使用することもできる。
【００４０】
一実施形態では、少なくとも２つの好気性検知点（又は３つ、４つ、５つ、又はそれ以上の好気性検知点）がある。これらの複数の好気性検知点（又は通気の程度）は、特定のサイクル（すなわち活性段階又は養生段階）について最適化することができる。例えば、容器の好気的／嫌気的条件を、第１の好気性検知点に第１の時間にわたって維持した後、容器を第２の好気性検知点に第２の時間にわたって維持する、などである。
【００４１】
一実施形態では、湿度センサーを使用する。１以上の湿度センサーを使用することで容器に収容された内容物の含水量、及び／又は容器に収容された内容物の上の隙間の含水量を測定することができる。湿度センサーは、加水ディスペンサーと電気的に接続することができる。あるいは、湿度センサーをＰＣと電気的に接続し、次いでＰＣを加水ディスペンサーと電気的に接続することができる。加水ディスペンサーは水性組成物を供給するように構成されている。水性組成物を供給することの目的は、容器に収容された堆肥化可能な材料の水分（すなわち含水）量（又は容器内の隙間の含水量）を増やすことで、コンポスト装置の堆肥化プロセス（又はそれぞれの段階の条件）の効率を最大化することを目的としている。加水ディスペンサーは、再充填可能なリザーバなどの様々な供給源から、ユーザーの家庭又は業務用送水管から、又は交換式の水性組成物容器から水性組成物を供給することができる。水性組成物は、水に加えて、堆肥化プロセスを補う（例えば酵素、プレバイオティックなど）か、及び／又は堆肥化プロセスの結果として発生する悪臭を抑制することが可能な成分を含んでもよい。
【００４２】
一実施形態では、少なくとも２つの湿度検知点（又は３つ、４つ、５つ、又はそれ以上の好気性検知点）がある。これらの複数の湿度検知点（又は複数の湿度レベル）は、特定のサイクル（すなわち活性段階又は養生段階）について最適化することができる。例えば、容器の湿度条件を、第１の湿度検知点に第１の時間にわたって維持した後、容器を第２の湿度検知点に第２の時間にわたって維持する、などである。
【００４３】
一実施形態では、匂いセンサーを使用する。１以上の匂いセンサーを使用することで容器に含まれる、及び／又は容器内の隙間に含まれる悪臭、及び／又は容器に収容された内容物から発生する悪臭を測定することができる。匂いセンサーの一例としては、米国特許第６，０９３，３０８号に述べられるものがある。匂いセンサーは、芳香ディスペンサーと電気的に接続することができる（芳香センサーは芳香組成物を供給することができる）。本発明との関連における供給に適した芳香組成物の例としては、本願と同時に出願されたＰ＆Ｇ社ケース番号１２４０４Ｐの米国特許出願公開に示されるものが挙げられる。一実施形態では、芳香組成物は香油組成物を含む。あるいは、匂いセンサーをＰＣと電気的に接続し、次いでＰＣを芳香組成物ディスペンサーと電気的に接続することができる。「供給する」なる語は、本明細書では最も広い意味で使用される。こうした装置は、匂い除去組成物を、単純な拡散（米国特許出願第ＵＳ  ２０１０／０３０８１３０号、同第ＵＳ  ２０１０／０３１４４６１号）、米国特許第７，２２３，３６１号に記載のウィックシステム（好ましくは組成物と機能的に接触したウィック（又は組成物自体）を加熱する）、米国特許出願公開第２０１１／０２６６３５９  Ａ１号に記載の振動（例えば、超音波又は圧電式）、又はこれらの組み合わせによって供給することができる。あるいは、匂いセンサーと芳香ディスペンサーとを、米国特許出願公開第２０１０／００４４４５３  Ａ１号に述べられるように一体とすることもできる。芳香組成物は、ユーザーが時々交換することが可能な消耗品としてバイアルに入ったものとすることもできる。「バイアル」なる語は、芳香組成物を収容するのに一般的に適した容器を含むように広く定義される。バイアルの非限定的な一例として、ＦＥＢＲＥＺＥ  ＮＯＴＩＣＥａｂｌｅｓ（プロクター・アンド・ギャンブル社（Procter & Gamble））用の香料油の詰め替えがある。一実施形態では、バイアルには、約５ｍｌ〜約２５０ｍｌの芳香組成物、又は２５ｍｌ〜約１２５ｍｌ、又は約５０ｍｌ〜約１５０ｍｌ、又はこれらの組み合わせが入っている。
【００４４】
一実施形態では、メタンセンサーを使用する。メタン（時として沼気と呼ばれる）は、堆肥化プロセスから発生しうる。メタンは可燃性があるために特定の濃度では危険となりうる。１以上のメタンセンサーを使用することができる。メタンセンサーの例としては、米国特許第５，７６７，３８８号、及び米国特許出願公開第ＵＳ  ２０１１／０２４８８５７  Ａ１号に述べられるものがある。メタンセンサーは、混合子及び／又はエアレーター装置と電気的に接続することができる。これに代えるか又はこれに加えて、メタンセンサーは、警報装置（警報装置は聴覚的、視覚的又はこれらの組み合わせのもの）と電気的に接続するか、及び／又は安全停止装置を用いることもできる。センサーは、所定の濃度のメタンを検知すると警報器及び／又は混合子及び／又はエアレーター装置を作動させることができる。あるいは、メタンセンサーをＰＣと電気的に接続し、次いでＰＣを上記に述べた要素（例えば混合子、エアレーター装置、警報装置、安全停止装置）と電気的に接続することで、これらの要素の１以上のものを作動させることも可能である。
【００４５】
ＰＣが使用される。適当なＰＣは、一実施形態では、プログラム可能な自動化コントローラー又はプログラム可能なロジックコントローラーから選択される。有用なプログラム可能な自動化コントローラーは、ロックウェル・オートメーション社（米国、カリフォルニア州アナハイム）より販売されるプログラム可能な自動化コントローラーの制御ロジック製品群から選択することができる。
【００４６】
紫外線
本発明の一態様では、コンポスト装置は、本発明の装置の容器に収容された内容物に滅菌、消毒、放射線殺菌などを行う目的で容器内に紫外線を照射するために容器の蓋又は内面に機能的に取り付けられた紫外線放射装置を有する。一実施形態では、紫外線は、養生段階の終了時、又はその近くにおいて照射される。別の実施形態では、ユーザーが容器の蓋を持ち上げて紫外線に曝されることを防止するための安全機構が設けられる。これらの安全機構としては、紫外線灯が点灯している間の蓋のロック、及び容器の蓋が持ち上げられると紫外線灯が消えるような自動停止機構が挙げられる。
【００４７】
充填量測定装置
本発明の一態様では、コンポスト装置は装填量測定装置を有する。充填量測定装置と電気的に接続されたデータ取得ユニットが設けられてもよい。装填量測定装置は、計数装置及び／又はシステム、又は容器内に堆積されるか又は容器内に収容された堆肥化可能な材料の定量的測定値（例えば重量、数など）を測定するための他の測定装置若しくはシステムを含みうる（「堆積材料測定」）。このような装置の最も単純な例は、材料の重量（すなわちｋｇ）を測定するための秤である。こうした秤はＰＣと電気的に接続することができる。あるいは、充填量測定装置は、貯蔵及び／又はその後の処理加工のためのデータ取得ユニットと電気的に接続することもできる。データ取得ユニットは、独立型であってもＰＣに統合された部分であってもよい。このような堆積材料測定は、コンポストの処理条件を最適化するために使用するか、「状態標示」（下記に述べる）によってユーザーに情報を提供するための基礎を与えるために使用するか、又は更にはマーケティングシステムの一部として使用するか（本願と同時に出願されたＰ＆Ｇ社ケース番号１２４０１Ｐの米国特許出願公開を参照）、又はこれらの組み合わせとして使用することができる。堆積材料測定は、段階の開始、終了時、開始段階、堆肥化の終了時、又はこれらの組み合わせを含むがこれらに限定されない堆肥化プロセスの間の任意の時点で行うことができる。一実施形態では、堆積材料測定は堆肥化プロセスの終了時に行われる。
【００４８】
状態標示
本発明の一態様では、コンポスト装置は、堆肥化プロセスにおける１以上の容器の状態を示す少なくとも１つの状態標示を有する。標示には、コンポスト装置の１以上の容器に収容された内容物の堆肥化状態をユーザーに対して示すライト、タイマー、単語、シンボル、色、これらの組み合わせが含まれうる。例えば、各容器に１つの標示を設けることができる。この標示は、堆肥化プロセス、又はそのサイクル若しくは段階について、何時間、何日間、何週間残っているか、特定の日付、カウントダウンタイマー、それらの組み合わせを示すタイマーを有しうる。標示は、ユーザーがどの容器に食物を加えるべきか（緑色の矢印の点灯）、またユーザーがどの容器に食物を加えてはならないか（赤い「Ｘ」の点灯）を示すことができる。標示は、堆肥化の効果を強調することによって（例えば、「埋め立て地に埋め立てられるものを１０ｋｇ減らしました」など）、又は堆肥化プロセスを最大効率化するためのアドバイスを与えることによって（例えば、「酵素／プロバイオティクスの堆肥化パックを忘れずに加えてください」など）ユーザーを促すためのテキストも更に有しうる。状態標示は、紫外線灯が点灯又は消灯していることをユーザーに示すことができる。状態標示は、１以上の蓋が閉じた／開いた位置にあることをユーザーに示すこともできる。本発明の状態標示は好ましくはＰＣと電気的に接続される。
【００４９】
バッグ
本発明の一態様では、装置の１以上の容器が、バッグ、好ましくはプラスチックバッグ、より好ましくは生分解性バッグ、又は生分解性プラスチックバッグを有するシステムを提供する。理論によって束縛されることを望むものではないが、こうしたバッグは、堆肥を装置から取り出す、及び／又は運ぶ利便性を与えるものである。一実施形態では、バッグは堆肥化プロセスからバッグを一時的に保護する一方でバッグが生分解性であることを可能とするような１以上のコーティングを有する。別の実施形態では、バッグは、容器内に維持され、堆肥化プロセスの期間、好ましくは相当の期間において固定された状態に維持される。バッグは、コンポスト装置を補助するための堆肥化成分を有しうる（例えば堆肥化細菌又はプレバイオティクス、堆肥化酵素など）。あるいは、プラスチックバッグは、本発明の装置を使用した堆肥化プロセスで生じるコンポストの内容物をプラスチックバッグに入れるようにユーザーに指示するシステムの一部とされる。
【００５０】
本発明の装置は、カウンタートップ上に配置するか、カウンタートップの下（ゴミ圧縮機と同様）、キッチンの流しの下、独立型ユニットとして床の上に、又はディスポーザーと一体に取り付けることができる。
【００５１】
エアフィルター
本発明の装置は、容器内の隙間と容器の外部の大気との間の流体連通性を与えるように構成された１以上の排気管を有しうる。場合によりファンを使用して排気管内に真空を形成することができる。フィルターは活性炭を含むものとすることができる。フィルターは、芳香組成物及び／又は匂い除去組成物を含んでもよい。例えば、本願と同時に出願されたＰ＆Ｇ社ケース番号１２４０４Ｐの米国特許出願公開を参照されたい。
【００５２】
本明細書に開示した寸法及び値は、記載された正確な数値に厳密に限定されるものとして理解されるべきではない。むしろ、特に断らないかぎり、そのような寸法のそれぞれは、記載された値及びその値の周辺の機能的に同等の範囲の両方を意味するものとする。例えば、「４０ミリメートル」として開示される寸法は、「約４０ミリメートル」を意味するものである。
【００５３】
あらゆる相互参照又は関連特許若しくは関連出願を含む、本明細書で引用するすべての文献は、明確に除外されるか限定されないかぎりは、その全体を本明細書に参照によって援用するものとする。いずれの文献の引用も、こうした文献が本願で開示又は特許請求されるいずれかの発明に対する先行技術であることを容認するものではなく、また、こうした文献が、単独で、あるいは他のいずれかの参照文献との任意の組み合わせにおいて、こうした発明のいずれかを、教示、示唆又は開示していることを容認するものでもない。更に、本文書において、用語のいずれかの意味又は定義が、参照により援用される文書中の同様の用語のいずれかの意味又は定義と矛盾する場合には、本文書中でその用語に与えられる意味又は定義が優先するものとする。
【００５４】
以上、本発明の特定の実施形態を例示、説明したが、本発明の趣旨及び範囲から逸脱することなく他の様々な変更及び改変を行うことが可能である点は当業者には明らかであろう。したがって、本発明の範囲内にあるそのような変更及び改変は、添付の特許請求の範囲において網羅されるものとする。
【国際調査報告】
2015520105.tif 000002
2015520105.tif 000003
2015520105.tif 000004
2015520105.tif 000005